(57)【要約】【課題】釣竿を所望の角度に傾斜させた状態で保持することができるようにする。【解決手段】竿保持具１００は、脚部１１０と、該脚部１１０の上部に設けられた台座部１２０と、該台座部１２０上に設けられた竿支え部１３０と、該竿支え部１３０に保持されている竿を略水平状態から所定の仰角に変位可能な竿角度調整機構１４０を備えている。【選択図】　図１
2004121005.tif 000002
【特許請求の範囲】
【請求項１】
第１の脚構成部と第２の脚構成部を交叉させて交叉部を軸により回動可能に連結したＸ字状の第１の脚部と、
第３の脚構成部と第４の脚構成部を交叉させて交叉部を軸により回動可能に連結したＸ字状の第２の脚部と、
前記第１の脚部の第１の脚構成部の上端と前記第２の脚部の第３の脚構成部の上端とを連結している第１の連結部と、
前記第１の脚部の第２の脚構成部の上端と前記第２の脚部の第４の脚構成部の上端とを連結している第２の連結部と、
前記第１の連結部又は第２の連結部のいずれか一方の連結部に一端側が回動可能に取付けられていて、他方の連結部に他端側を係止することにより、前記第１の連結部と第２の連結部の間に掛け渡されて、前記第１の脚部と第２の脚部を所定の角度に開脚させた状態でロックする台座部と、
前記台座部に設けられた竿支え部と、
前記竿支え部に保持されている竿を略水平状態から所定の仰角に変位可能な竿角度調整機構と、を備えている
ことを特徴とする竿保持具。
【発明の詳細な説明】
【０００１】
【発明の属する技術分野】
本発明は、堤防や岸壁等において、所謂置き竿に使用する竿保持具に関するものである
【０００２】
【従来の技術】
竿保持具として、図４に示すものが知られている。この竿保持具は、２本のパイプ脚７ａ、７ｂとパイプ脚８ａ、８ｂをそれぞれの中間で回動自在に連結したＸ字状脚部９Ａ、９Ｂを構成し、この２組のＸ字状脚部９Ａ、９Ｂを平面ハの字状に組み合わせ、両Ｘ字状脚部９Ａ、９Ｂの下部側で近接するパイプ脚７ａ、８ａの下部を互いに連結すると共に、このパイプ脚７ａ、８ａの上部を横方向に設けた竿支えシャフト２を介して連結し、両Ｘ字状脚部９Ａ、９Ｂの上部側で近接するパイプ脚７ｂ、８ｂの上部を互いに連結して、ここに竿押え１９を設けると共に、この竿押え側と前記竿支えシャフト２とをステー１７で着脱自在に連結したものである。
【０００３】
【特許文献１】
特開２００２−３４４１７号公報（段落番号０００８〜００１４、図１）
【０００４】
【発明が解決しようとする課題】
ところで、前記特開２００２−３４４１７号公報の竿保持具には、次に述べるような問題点があった。
（１）パイプ脚７ａ、８ａの下部を互いに連結しているので、脚部の接地点は、実質的に３個所となり、安定性が悪い。
（２）釣竿を水平状態にしか保持することができず、釣竿を所定の仰角（傾斜角度）に立てた状態で保持することができない。
【０００５】
本発明の目的は、脚部の接地点を４個所とすることにより、安定した状態で釣竿を保持することのできる竿保持具を提供することにある。
【０００６】
また、本発明の他の目的は、釣竿を所望の角度に傾斜させた状態で保持することのできる竿保持具を提供することにある。
【０００７】
【課題を解決するための手段】
本発明の竿保持具は、
第１の脚構成部と第２の脚構成部を交叉させて交叉部を軸により回動可能に連結したＸ字状の第１の脚部と、
第３の脚構成部と第４の脚構成部を交叉させて交叉部を軸により回動可能に連結したＸ字状の第２の脚部と、
前記第１の脚部の第１の脚構成部の上端と前記第２の脚部の第３の脚構成部の上端とを連結している第１の連結部と、
前記第１の脚部の第２の脚構成部の上端と前記第２の脚部と第４の脚構成部の上端とを連結している第２の連結部と、
前記第１の連結部又は第２の連結部のいずれか一方の連結部に一端側が回動可能に取付けられていて、他方の連結部に他端側を係止することにより、前記第１の連結部と第２の連結部の間に掛け渡されて、前記第１の脚部と第２の脚部を所定の角度に開脚させた状態でロックする台座部と、
前記台座部に設けられた竿支え部と、
前記竿支え部に保持されている竿を略水平状態から所定の仰角に変位可能な竿角度調整機構と、を備えている。
【０００８】
【発明の実施の形態】
図１は竿保持具を組み立てた状態の斜視図、図２は竿保持具を折り畳んだ状態の斜視図である。竿保持具１００は、脚部１１０と、該脚部１１０の上部に設けられた台座部１２０と、該台座部１２０上に設けられた竿支え部１３０と、該竿支え部１３０に保持されている竿を略水平状態から所定の仰角に変位可能な竿角度調整機構１４０を備えている。
【０００９】
前記脚部１１０は、第１の脚構成部１１１と第２の脚構成部１１２を交叉させて交叉部を軸１１３により回動可能に連結したＸ字状の第１の脚部１１４と、第３の脚構成部１１５と第４の脚構成部１１６を交叉させて交叉部を軸１１３により回動可能に連結したＸ字状の第２の脚部１１７と、前記Ｘ字状の第１の脚部１１４の第１の脚構成部１１１の上端と前記Ｘ字状の第２の脚部１１７の第３の脚構成部１１５の上端とを連結している第１の連結部１１８と、前記Ｘ字状の第１の脚部１１４の第２の脚構成部１１２の上端と前記Ｘ字状の第２の脚部１１７の第４の脚構成部１１６の上端とを連結している第２の連結部１１９と、を備えている。
【００１０】
前記第１の脚構成部１１１と、第３の脚構成部１１５と、第１の連結部１１８とは、アルミニュウム等の金属パイプを略コ字状に折り曲げることにより形成されている。同様に、前記第２の脚構成部１１２と、第４の脚構成部１１６と、第２の連結部１１９とは、アルミニュウム等の金属パイプを略コ字状に折り曲げることにより形成されている。
【００１１】
前記第１の脚部１１４と第２の脚部１１７をＸ字状に開くことにより使用状態になり、Ｉ字状に閉じることにより折畳状態になる。
【００１２】
前記台座部１２０は、アルミニュウム等の金属パイプにより略矩形状に作られていて、長辺側の一辺１２０ａの両端部が軸受部１２１によって前記第１の連結部１１８に回動可能に取付けられている。前記台座部１２０の長辺側の他辺１２０ｂには、前記第２の連結部１１９に係合する係止部１２２が設けられている。係止部１２２には、略逆Ｕ字状の金具が用いられている。そして、前記第１の脚部１１４と第２の脚部１１７をＸ字状に所定の角度開いて、前記係止部１２２としての略逆Ｕ字状の金具を前記第２の連結部１１９に係止することにより、前記第１の連結部１１０と第２の連結部１１１の間に掛け渡されて前記脚部１１０の上端部に支持された状態になると共に、前記第１の脚部１１４と第２の脚部１１７を所定の角度に開脚させた状態に固定するようになっている。前記台座部１２０は、アルミニュウム等の金属パイプにより形成されている。
【００１３】
前記竿支え部１３０は、竿の基端部側を支持するＣ字状金具１３１と、竿の先端部側を支持するＵ字状金具１３２と、これらＣ字状金具１３１とＵ字状金具１３２を長手方向の一端部と他端部に取付けたベース部１３３と、を備えている。
【００１４】
前記竿支え部１３０は、次に説明する竿角度調整機構１４０を介して前記台座部１２０に取付けられている。前記竿支え部１３０は、前記台座部１２０の中央部と両側部の３個所に設けられている。中央部の竿支え部１３０は、前記台座部１２０の一辺１２０ａ及び他辺１２０ｂに対して略直角に取付けられ、両側部の竿支え部１３０は、中央部の竿支え部１３０に対して所定の開き角度θを持たせた状態で取付けられている。そして、図１の２点鎖線に示すように、竿の基端部を前記Ｃ字状金具１３１に係止し、竿の先端部を前記Ｕ字状金具１３２上に載せた状態で竿２０１を保持するようになっている。
【００１５】
前記竿角度調整機構１４０は、前記竿支え部１３０のベース部１３３の一端側（前記Ｃ字状金具１３１側）を軸１４１を介して回動可能に挟着支持している一対の第１のアーム１４２と、前記竿支え部１３０のベース部１３３の他端側（前記Ｕ字状金具１３２側）を高さ調整可能に挟着支持している一対の第２のアーム１４３と、前記第１のアーム１４２及び第２のアーム１４３を前記台座部１２０上に組付けるための組付部１４４と、を備えている。
【００１６】
前記第１のアーム１４２は、その上端部において前記軸１４１で竿支え部１３０のベース部１３３の一端側（前記Ｃ字状金具１３１側）を回動可能に支持していると共に、その下端部は、ボルト１４５とナット１４６により前記組付部１４４に取付けられている。
【００１７】
前記第２のアーム１４３は、その上端部においてボルト１４７とナット１４８により前記竿支え部１３０のベース部１３３の他端側（前記Ｕ字状金具１３２側）を締め付けて支持していると共に、その下端部は、ボルト１４９とナット１５０により前記組付部１４４に取付けられている。
【００１８】
前記第２のアーム１４３は、前記軸１４１を中心にして円弧状のボルト受孔１５１を備えている。そして、前記ナット１４８を緩めると前記竿支え部１３０のベース部１３３は、前記軸１４１を中心に回動し、前記ボルト１４７が前記円弧状のボルト受孔１５１内を移動して、前記竿支え部１３０のベース部１３３のＵ字状金具１３２側の端部の高さ調整、即ち前記竿支え部１３０の仰角の調整が可能になる。
【００１９】
そして、竿支え部１３０の仰角の調整を行なったのち、前記ナット１４８の締め付けを行なえば、竿支え部１３０は、所定の仰角にロックされた状態になる。
【００２０】
なお、前記第２の連結部１１９の中央部には、バケツ１５２を吊り下げるためのバケツ吊下部１５３が設けられている。また、前記台座部１２０の一側部には折畳み可能なアーム１５４により餌箱１５５が台座部１２０の一側部に延ばした状態から、台座部１２０の前方に重ね合せた状態に折畳可能に取付けられている。
【００２１】
次に、本発明の竿保持具１の使用方法について説明する。不使用時には、図２に示すように、先ず、脚部１１０をＩ字状に折り畳み、その前方に台座部１２０を重ね合せた状態にすると共に、餌箱１５５も台座部１２０を重ね合なるように折り畳むことにより、竿保持具１は、収納や持ち運びに便利なものになる。
【００２２】
竿保持具１を使用する際には、先ず、Ｉ字状に折り畳まれている脚部１１０に対して、台座部１２０を起こすように略９０°回動させる。次に、脚部１１０をＸ字状に開けば、脚部１１０は、第１の脚構成部１１１、第２の脚構成部１１２、第３の脚構成部１１５、第４の脚構成部１１６で安定した状態で起立し、前記第２の連結部１１９に、台座部１２０に設けた略逆Ｕ字状のフック１２２を係止すれば、台座部１２０は、前記脚部１１０の上端部に支持された状態になると共に、前記第１の脚部１１４と第２の脚部１１７は、開脚された状態に維持される。
【００２３】
次に、水を張ったバケツ１５２を前記第１のアーム１４２の中央部に設けたバケツ吊下部１５３に吊り下げて重錘として、脚部１１０を容易に転倒することの無い安定したものにすると共に、必要に応じて餌箱１５５を引き出して使用し易い状態にする。
【００２４】
次に、竿角度調整機構１４０で竿支え部１３０の傾斜角度を調整し、竿支え部１３０に竿２０１を取付ければ、所謂置竿が完了するのである。
【００２５】
図３は、前記竿角度調整機構１４０の他の実施例を示す。この実施例において、竿角度調整機構１４０は、前記竿支え部１３０のベース部１３３の一端側（前記Ｃ字状金具１３１側）を軸１４１を介して回動可能に挟着支持している一対の第１のアーム１４２と、前記竿支え部１３０のベース部１３３の他端側（前記Ｕ字状金具１３２側）を高さ調整可能に挟着支持している一対の第２のアーム１４３と、前記第１のアーム１４２及び第２のアーム１４３を前記台座部１２０上に組付けるための組付部１４４と、を備えている。
【００２６】
前記第１のアーム１４２は、その上端部において前記軸１４１で竿支え部１３０のベース部１３３の一端側（前記Ｃ字状金具１３１側）を回動可能に支持していると共に、その下端部は、ボルト１４５とナット１４６により前記組付部１４４に取付けられている。
【００２７】
前記第２のアーム１４３は、下端部が軸１６１により回動可能に組付部１４４に取付けられている。前記第２のアーム１４３は、長さ方向に伸びる第１の長孔１６２を備えている。前記第１の長孔１６２は、前記組付部１４４に設けた第２の長孔１６３と交叉している。前記第１の長孔１６２及び第２の長孔１６３にはボルト１６４が挿入されている。前記ボルト１６４の両端部にはナット１６５が螺合されている。そして、前記ナット１６５を緩めて前記ボルト１６４を前記第２の長孔１６３の一端部側（図３の右端側）に移動させると、前記ベース部１３３及び第２のアーム１４３は、前記組付部１４４上に重なり合って折り畳まれた状態になる。また、図３に２点鎖線で示すように、前記ベース部１３３を起立方向に傾斜させると、前記ボルト１６４は、前記第２の長孔１６３の一端部側から他端部側に移動する。そして、前記ベース部１３３を所望の角度に傾斜させたら、前記ボルト１６４を締めて前記一対の第２のアーム１４３で前記ベース部１３３を挟着すれば、前記ベース部１３３は、所望の傾斜角度に固定された状態になるのである。他の構成は、基本の実施例と同じであるので重複する説明は省略する。
【００２８】
なお、図面に示す実施例では、３個の竿支え部１３０を設け、これら３個の竿支え部１３０にそれぞれ１本の竿を保持する場合を示したが、竿支え部１３０の数は、１個でも２個でも４個以上でも良い。また、１個の竿支え部１３０の複数の竿を保持する構成にしても良い。また、実施例では、台座部１２０の一側部を前記脚部１１０の第２の連結部１１９に係合する係止部１２２として略逆Ｕ字状の金具を使用した場合を示したが、係止部１２２としてボルトやナット等を使用しても良い。
【００２９】
【発明の効果】
本発明の竿保持具には次に述べるような効果がある。
（１）脚部の接地点を４個所とすることにより、安定した状態で釣竿を保持することのできる。
（２）竿角度調整機構で竿支え部の傾斜角度を調整することにより竿を水平状態のみならず、所定の仰角に保持することができる。
【図面の簡単な説明】
【図１】竿保持具の使用状態を示す斜視図。
【図２】竿保持具を折り畳んだ状態を示す斜視図。
【図３】竿角度調整機構の他の実施例を示す説明図。
【図４】従来例の斜視図。
【符号の説明】
１００…竿保持具、１１０…脚部、１１１…第１の脚部構成部、１１２…第２の脚部構成部、１１３…軸、１１４…第１の脚部、１１５…第３の脚部構成部、１１６…第４の脚部構成部、１１７…第２の脚部、１１８…第１の連結部、１１９…第２の連結部、１２０…台座部、１３０…竿支え部、１４０…角度調整機構。
【図１】
2004121005.tif 000003
【図２】
2004121005.tif 000004
【図３】
2004121005.tif 000005
【図４】
2004121005.tif 000006